(57)【要約】【課題】本発明の課題は、目的地まで走行する道路に沿って、対象となる道路、規制箇所、期間を限定し、走行する車の現在位置から規制箇所までの距離を随時ＫＰの差に基づいて計測し、音声案内することができるシステムを提供することである。【解決手段】本発明にかかる道路規制位置距離案内システムは、現在位置データ取得手段と、進行方向・変更検出手段と、規制事件登録メモリと、ＫＰ−地球座標位置メモリと、事件読出条件設定メモリと、音声案内パターンメモリと、ＫＰ値取得手段と、距離計算手段と、音声出力手段と、表示器と、事件読出条件設定手段と、前記読出条件の設定値に基づいて前記規制事件を限定判別する事件リスト判定手段と、を備え、前記規制事件を限定し、前記車の現在位置を取得させ、前記規制事件の位置と前記現在位置との距離を求め、前記距離を音声案内させるものである。【選択図】図１
2018063621.tif 000002
【特許請求の範囲】
【請求項１】
入力手段と、設定手段と、判定手段と、演算手段と、出力手段と、制御器と、前記制御器に制御動作をさせるためのプログラムを格納する制御メモリと、前記制御器の制御に使用するデータ又は前記制御の結果、出力するデータを格納するデータメモリとを備えたシステムであり、
前記システムは、
前記入力手段として、車に搭載され道路を走行する際に現在位置を取得する現在位置データ取得手段と、前記車の進行方向を検出して前記道路上の上り線／下り線を特定し、及び
前記進行方向の変更を検出する進行方向・変更検出手段と、入力インターフェースと、を備え、
前記データメモリとして、道路上の規制事件を登録する規制事件登録メモリと、前記道路上のキロポスト位置と地球座標位置の関係データを格納するＫＰ−地球座標位置メモリと、前記規制事件を読み出す際の読出条件を設定したデータを格納する事件読出条件設定メモリと、前記現在位置から前記規制事件位置までの距離を音声案内する場合の音声案内パターンを格納する音声案内パターンメモリと、を備え、
前記演算手段として、前記キロポスト位置と地球座標位置の関係データを使って、前記現在位置に対応するキロポスト値を求めるＫＰ値取得手段と、前記規制事件登録メモリ内の前記規制事件の位置のキロポスト値と前記現在位置に対応するキロポスト値の差から前記規制事件の位置と前記現在位置との距離を求める距離計算手段と、を備え、
前記出力手段として、前記規制事件の位置と前記現在位置との距離を前記音声案内パターンメモリに格納された音声案内パターンに基づいて音声案内する音声出力手段と、表示器と、を備え、
前記設定手段として、前記入力インターフェースを用いて、前記表示器上で、前記距離を計算する対象となる前記規制事件を制限して読み出す読出条件を設定し、および、前記音声案内パターンを設定する音声出力条件を設定し、前記事件読出条件設定メモリに格納する機能を備えた事件読出条件設定手段を備え、
前記判定手段として、前記読出条件の設定値に基づいて前記規制事件を限定判別する事件リスト判定手段を備え、
前記制御器は、前記制御メモリに格納された前記プログラムに従って、
前記事件読出し条件設定手段、及び、前記事件リスト判定手段の動作を行わせ前記規制事件を限定し、前記進行方向・変更検出手段の動作を行わせ前記道路上の上り線／下り線を特定し、前記現在位置データ取得手段の動作を行わせ、前記車の現在位置を取得させ、前記ＫＰ値取得手段の動作を行わせ、前記道路上のキロポスト位置と地球座標位置の関係データを用いて、前記現在位置のキロポスト値を求めさせ、
前記距離計算手段を動作させ、限定された前記規制事件の位置のキロポスト値と前記現在位置に対応するキロポスト値の差から前記規制事件の位置と前記現在位置との距離を求めさせ、前記音声案内手段に設定された前記音声案内パターンに基づいて前記距離を音声案内させることを特徴とする道路規制位置距離案内システム。
【請求項２】
前記判定手段は、前記規制事件を限定するために、車の走行日時が前記規制事件登録メモリ内に格納された前記規制事件の規制期間に含まれる前記規制事件を限定判別する規制期間内外判定手段を備えることを特徴とする請求項1記載の道路規制位置距離案内システム。
【請求項３】
前記演算手段は、終了指示があったかどうかを判定し、前記終了指示があった場合に前記音声案内動作を終了するための終了判定手段を備えたことを特徴とする請求項1又は請求項２記載の道路規制位置距離案内システム。
【請求項４】
前記演算手段は、前記現在位置に対応するキロポスト値により、前記現在位置が、前記事件読出条件設定手段での設定により限定された前記道路上での前記現在位置に最も近いキロポストからの距離が所定の値より大きい場合に、前記現在位置が前記限定された道路の範囲外に出たと判定する範囲外判定手段を備えたことを特徴とする請求項１から請求項３のいずれか1つに記載の道路規制位置距離案内システム。
【請求項５】
前記所定の値は、前記キロポストの間隔としたことを特徴とする請求項４記載の道路規制位置距離案内システム。
【請求項６】
前記演算手段は、計時手段又は計距離手段を有し、前記事件読出条件設定手段は、時間又は距離での前記音声案内の間隔を指定することが可能であり、前記計時手段又は前記計距離手段で車の走行時間又走行距離を計測することにより前記指定された間隔毎に音声案内を可能としたことを特徴とする請求項１から請求項５のいずれか1つに記載の道路規制位置距離案内システム。
【請求項７】
前記入力手段は、前記規制事件の位置に到達したときに、前記現在位置データ取得手段と前記ＫＰ値取得手段により、前記規制事件の位置のキロポスト値を取得し、前記規制事件登録メモリに新規の規制事件として登録格納するための道路上事件登録手段を備えたことを特徴とする請求項１から請求項６のいずれか1つに記載の道路規制位置距離案内システム。
【請求項８】
求まった前記現在位置のキロポスト値が、前記道路のインターチェンジから所定の距離の範囲にある場合は、前記音声案内の現状動作を停止し、周辺を出てから音声案内を再開することを特徴とする請求項１から請求項７のいずれか1つに記載の道路規制位置距離案内システム。
【請求項９】
前記制御器と、前記制御メモリと、前記規制事件登録メモリと前記ＫＰ−地球座標位置メモリと前記音声案内パターンメモリとを含むデータメモリと、前記表示器と、前記制御メモリ及び前記データメモリへのプログラム及びデータの登録のための登録入力手段と、第一の通信手段と、を備えるセンター管理装置と、請求項１から請求項８に記載の道路規制位置距離案内システムの構成と第二の通信装置を有する車内端末との間で通信により、前記センター管理装置から前記車内端末の前記道路規制位置距離案内システムに前記データメモリの内のデータを移動することを可能としたことを特徴とする道路規制位置距離案内システム。
【請求項１０】
前記制御器と、前記制御メモリと、前記現在位置データ取得手段と、前記進行方向・変更検出手段と、前記音声出力手段と、第三の通信手段と、の第一の構成を備える音声案内の車内端末と、請求項１から請求項８に記載の道路規制位置距離案内システムの構成から前記第一の構成を除き、第四の通信手段を有するセンター管理装置とを備え、前記車内端末からセンター管理装置に前記現在位置データ取得手段と前記進行方向・変更検出手段で取得したデータを送付して、前記規制事件の位置と前記現在位置との距離を求めさせ、前記音声案内のためのデータを戻させ、前記音声出力手段により音声案内するようにしたことを特徴とする道路規制位置距離案内システム。
【請求項１１】
前記事件読出条件設定手段に表示間隔・音声案内間隔調整手段を設けることで、前記現在位置データ取得手段の位置データ取得間隔より間引かれた間隔で表示間隔、又は／及び音声案内間隔を設定可能としたことを特徴とする請求項１から請求項１０のいずれか1つに記載の道路規制位置距離案内システム。
【請求項１２】
前記表示で確認できる状態において、前記音声案内の有無を選択可能、又は、前記音声案内をスタート可能とするスイッチを設けたことを特徴とする請求項１から請求項１１のいずれか1つに記載の道路規制位置距離案内システム。
【発明の詳細な説明】
【技術分野】
【０００１】
本発明は、道路、特に高速道路を走行している車に、現在位置から道路規制位置までの距離を所望の間隔で案内するシステムに関するものである。
【背景技術】
【０００２】
従来、高速道路を走行していると、「何ｍ先で渋滞があります」とか、「何ｍ先で交通規制があります」という音声案内がラジオに入る。これは、特定の位置区間に放送装置があって、放送装置がある特定位置からの距離として特有の情報を流している。走行する車の正確な位置対応での随時の位置での案内とはなっていない。
特許文献１には、「車両用表示装置」が示されている。
特許文献１の段落番号０００５を以下に引用すると、
「クレーム対応図である図１に対応づけて本発明を説明すると、本発明は、車両の現在位置を検出する位置検出手段１００と、目的地を設定する目的地設定手段１０１と、車両の進行方向を検出する進行方向検出手段１０２と、車両の走行速度を検出する走行速度検出手段１０３と、少なくとも道路地図を含む静的道路情報を記憶する静的道路情報記憶手段１０４と、少なくとも交通渋滞，道路工事および交通規制を含む動的道路情報を入力する動的道路情報入力手段１０５と、少なくとも進行方向検出手段１０２で検出された車両の進行方向，走行速度検出手段１０３で検出された走行速度，および位置検出手段１００で検出された現在位置から目的地設定手段１０１で設定された目的地までの距離を含む車両の現在の走行状況に応じて、動的道路情報入力手段１０５で入力された動的道路情報の表示範囲を算出する表示範囲算出手段１０６と、動的道路情報入力手段１０５で入力された動的道路情報の中から、表示範囲算出手段１０６で算出された表示範囲内の動的道路情報を抽出する情報抽出手段１０７と、位置検出手段１００によって検出された車両の現在位置周辺の静的道路情報を静的道路情報記憶手段１０４から読み出し、その静的道路情報に情報抽出手段１０７によって抽出された動的道路情報を対応づけて表示する表示手段１０８とを備える。」
そのことで、車両の現在の走行状況（車両の進行方向、走行速度、目的地までの距離）に応じて動的道路情報の表示範囲を決め、この範囲の動的道路情報（交通渋滞，道路工事および交通規制を含む）を表示している。
この装置は、表示範囲を決める手段についてのものであり、
動的道路情報までの距離等の把握は目視により確認するので、距離を直接示すことが無いため、画面上の道路を視認しても容易には距離情報を得ることができない。常時目視していないと見落とす場合があり、随時の情報提供としては不都合がある。
【先行技術文献】
【特許文献】
【０００３】
【特許文献１】特許第２６５０５２５号
【発明の概要】
【発明が解決しようとする課題】
【０００４】
本発明の課題は、走行する道路に沿って、走行する車の現在位置から規制位置までの距離を随時、特に音声案内するシステムを提供することである。
【課題を解決するための手段】
【０００５】
本発明にかかる道路規制位置距離案内システムは、
現在位置データ取得手段と、進行方向・変更検出手段と、規制事件登録メモリと、ＫＰ−地球座標位置メモリと、事件読出条件設定メモリと、音声案内パターンメモリと、ＫＰ値取得手段と、距離計算手段と、音声出力手段と、表示器と、事件読出条件設定手段と、
前記読出条件の設定値に基づいて前記規制事件を限定判別する事件リスト判定手段と、を備え、前記規制事件を限定し、前記車の現在位置を取得させ、前記規制事件の位置と前記現在位置との距離を求め、前記距離を音声案内させるものである。
以下、請求項に沿って記述する。
【０００６】
請求項１記載の発明は、道路規制位置距離案内システムであって、
入力手段と、設定手段と、判定手段と、演算手段と、出力手段と、制御器と、前記制御器に制御動作をさせるためのプログラムを格納する制御メモリと、前記制御器の制御に使用するデータ又は前記制御の結果、出力するデータを格納するデータメモリとを備えたシステムであり、
前記システムは、
前記入力手段として、車に搭載され道路を走行する際に現在位置を取得する現在位置データ取得手段と、前記車の進行方向を検出して前記道路上の上り線／下り線を特定し、及び
前記進行方向の変更を検出する進行方向・変更検出手段と、入力インターフェースと、を備え、
前記データメモリとして、道路上の規制事件を登録する規制事件登録メモリと、前記道路上のキロポスト位置と地球座標位置の関係データを格納するＫＰ−地球座標位置メモリと、前記規制事件を読み出す際の読出条件を設定したデータを格納する事件読出条件設定メモリと、前記現在位置から前記規制事件位置までの距離を音声案内する場合の音声案内パターンを格納する音声案内パターンメモリと、を備え、
前記演算手段として、前記キロポスト位置と地球座標位置の関係データを使って、前記現在位置に対応するキロポスト値を求めるＫＰ値取得手段と、前記規制事件登録メモリ内の前記規制事件の位置のキロポスト値と前記現在位置に対応するキロポスト値の差から前記規制事件の位置と前記現在位置との距離を求める距離計算手段と、を備え、
前記出力手段として、前記規制事件の位置と前記現在位置との距離を前記音声案内パターンメモリに格納された音声案内パターンに基づいて音声案内する音声出力手段と、表示器と、を備え、
前記設定手段として、前記入力インターフェースを用いて、前記表示器上で、前記距離を計算する対象となる前記規制事件を制限して読み出す読出条件を設定し、および、前記音声案内パターンを設定する音声出力条件を設定し、前記事件読出条件設定メモリに格納する機能を備えた事件読出条件設定手段を備え、
前記判定手段として、前記読出条件の設定値に基づいて前記規制事件を限定判別する事件リスト判定手段を備え、
前記制御器は、前記制御メモリに格納された前記プログラムに従って、
前記事件読出し条件設定手段、及び、前記事件リスト判定手段の動作を行わせ前記規制事件を限定し、前記進行方向・変更検出手段の動作を行わせ前記道路上の上り線／下り線を特定し、前記現在位置データ取得手段の動作を行わせ、前記車の現在位置を取得させ、前記ＫＰ値取得手段の動作を行わせ、前記道路上のキロポスト位置と地球座標位置の関係データを用いて、前記現在位置のキロポスト値を求めさせ、
前記距離計算手段を動作させ、限定された前記規制事件の位置のキロポスト値と前記現在位置に対応するキロポスト値の差から前記規制事件の位置と前記現在位置との距離を求めさせ、前記音声案内手段に設定された前記音声案内パターンに基づいて前記距離を音声案内させることを特徴とする。
【０００７】
請求項２記載の発明は、請求項1記載の道路規制位置距離案内システムにおいて、
前記判定手段は、前記規制事件を限定するために、車の走行日時が前記規制事件登録メモリ内に格納された前記規制事件の規制期間に含まれる前記規制事件を限定判別する規制期間内外判定手段を備えることを特徴とする。
【０００８】
請求項３記載の発明は、請求項1又は請求項２記載の道路規制位置距離案内システムにおいて、
前記演算手段は、終了指示があったかどうかを判定し、前記終了指示があった場合に前記音声案内動作を終了するための終了判定手段を備えたことを特徴とする。
【０００９】
請求項４記載の発明は、請求項１から請求項３のいずれか1つに記載の道路規制位置距離案内システムにおいて、
前記演算手段は、前記現在位置に対応するキロポスト値により、前記現在位置が、前記事件読出条件設定手段での設定により限定された前記道路上での前記現在位置に最も近いキロポストからの距離が所定の値より大きい場合に、前記現在位置が前記限定された道路の範囲外に出たと判定する範囲外判定手段を備えたことを特徴とする。
【００１０】
請求項５記載の発明は、請求項４記載の道路規制位置距離案内システムにおいて、
前記所定の値は、前記キロポストの間隔としたことを特徴とする。
【００１１】
請求項６記載の発明は、請求項１から請求項５のいずれか1つに記載の道路規制位置距離案内システムにおいて、
前記演算手段は、計時手段又は計距離手段を有し、前記事件読出条件設定手段は、時間又は距離での前記音声案内の間隔を指定することが可能であり、前記計時手段又は前記計距離手段で車の走行時間又走行距離を計測することにより前記指定された間隔毎に音声案内を可能としたことを特徴とする。
【００１２】
請求項７記載の発明は、請求項１から請求項６のいずれか1つに記載の道路規制位置距離案内システムにおいて、
前記入力手段は、前記規制事件の位置に到達したときに、前記現在位置データ取得手段と前記ＫＰ値取得手段により、前記規制事件の位置のキロポスト値を取得し、前記規制事件登録メモリに新規の規制事件として登録格納するための道路上事件登録手段を備えたことを特徴とする。
【００１３】
請求項８記載の発明は、請求項１から請求項７のいずれか1つに記載の道路規制位置距離案内システムにおいて、
求まった前記現在位置のキロポスト値が、前記道路のインターチェンジから所定の距離の範囲にある場合は、前記音声案内の現状動作を停止し、周辺を出てから音声案内を再開することを特徴とする。
【００１４】
請求項９記載の発明は、道路規制位置距離案内システムにおいて、
前記制御器と、前記制御メモリと、前記規制事件登録メモリと前記ＫＰ−地球座標位置メモリと前記音声案内パターンメモリとを含むデータメモリと、前記表示器と、前記制御メモリ及び前記データメモリへのプログラム及びデータの登録のための登録入力手段と、第一の通信手段と、を備えるセンター管理装置と、請求項１から請求項８に記載の道路規制位置距離案内システムの構成と第二の通信装置を有する車内端末との間で通信により、前記センター管理装置から前記車内端末の前記道路規制位置距離案内システムに前記データメモリの内のデータを移動することを可能としたことを特徴とする。
【００１５】
請求項１０記載の発明は、道路規制位置距離案内システムにおいて、
前記制御器と、前記制御メモリと、前記現在位置データ取得手段と、前記進行方向・変更検出手段と、前記音声出力手段と、第三の通信手段と、の第一の構成を備える音声案内の車内端末と、請求項１から請求項８に記載の道路規制位置距離案内システムの構成から前記第一の構成を除き、第四の通信手段を有するセンター管理装置とを備え、前記車内端末からセンター管理装置に前記現在位置データ取得手段と前記進行方向・変更検出手段で取得したデータを送付して、前記規制事件の位置と前記現在位置との距離を求めさせ、前記音声案内のためのデータを戻させ、前記音声出力手段により音声案内するようにしたことを特徴とする。
【００１６】
請求項１１記載の発明は、請求項１から請求項１０のいずれか1つに記載の道路規制位置距離案内システムにおいて、
前記事件読出条件設定手段に表示間隔・音声案内間隔調整手段を設けることで、前記現在位置データ取得手段の位置データ取得間隔より間引かれた間隔で表示間隔、又は／及び音声案内間隔を設定可能としたことを特徴とする。
【００１７】
請求項１２記載の発明は、請求項１から請求項１１のいずれか1つに記載の道路規制位置距離案内システムにおいて、
前記表示で確認できる状態において、前記音声案内の有無を選択可能、又は、前記音声案内をスタート可能とするスイッチを設けたことを特徴とする。
【発明の効果】
【００１８】
以上の様に構成されているので、本発明によれば、道路規制位置距離案内システムは、目的地まで走行する道路に沿って、対象となる道路、規制位置、期間を限定し、走行する車の現在位置から規制位置までの距離を随時ＫＰの差に基づいて計測し、計測位置で音声案内することができる。
【図面の簡単な説明】
【００１９】
【図１】本発明にかかる道路規制位置距離案内システムの構成の一実施態様を示す図である。
【図２】本発明にかかる道路規制位置距離案内システムの動作フローの一実施態様を示す図である。
【図３】本発明にかかる道路規制位置距離案内システムにおいて事件特定手段の一実施態様を示す図である。
【図４】本発明にかかる道路規制位置距離案内システムの動作の一実施態様を説明する図である。
【図５】本発明にかかる道路規制位置距離案内システムの動作の音声案内のパターンの一実施態様を説明する図である。
【発明を実施するための形態】
【００２０】
本発明にかかる道路規制位置距離案内システムは、
現在位置データ取得手段と、進行方向・変更検出手段と、規制事件登録メモリと、ＫＰ−地球座標位置メモリと、事件読出条件設定メモリと、音声案内パターンメモリと、ＫＰ値取得手段と、距離計算手段と、音声出力手段と、表示器と、事件読出条件設定手段と、
前記読出条件の設定値に基づいて前記規制事件を限定判別する事件リスト判定手段と、を備え、前記規制事件を限定し、前記車の現在位置を取得させ、前記規制事件の位置と前記現在位置との距離を求め、前記距離を音声案内させるものである。
以下図に沿って説明する。
【００２１】
図４は、本発明にかかる道路規制位置距離案内システムの動作の一実施態様を説明する図である。図４において、本発明にかかる道路規制位置距離案内システムの動作の概要を説明する。
道路規制位置距離案内システムを搭載した車が上り路線の道路上を走っていて、現在位置にいる。道路、特に高速度道路には、距離表示の為に、キロポストがある。仮に現在位置のキロポストＫＰを１５０．１０とする。車が走るにつれて、当然ながらこの値は変わっていく。車は、ある目標位置に行こうとしている。その間の道路上には工事他の理由で規制位置がある。図４の例では、上り線に工事規制位置があり、その区間は、キロポスト表示で２００．０４から２００．１７であることを示している。実際の道路上のキロポストは、０．１ｋｍ単位に配置されているが、これを基準として、規制区間のデータ（コンピュータの登録データ）はいくらでも細かく表現は可能である。
車は進行方向を検出しているので、この場合、上り路線を走行していることが分かる。
そうすると、現在では、車から規制位置までの距離は、道路上のキロポストの差として、４９．９４ｋｍから５０．０７ｋｍである。
道路関係者は、車を走行させながら、規制位置までの距離を随時認識しておきたい。
然しながら、道路上には規制位置が多数存在する。道路を走る現場でそのどれが道路関係者にとって対象とすべき規制位置であるか、限定した扱いをすることが必要となる。表示画面に表示する場合は、複数表示できるが、目視で認識が必要であり、道路が入り組んでいると、一目ではわからない。画面を見るのは運転に支障が出るため、画面表示は、補助的手段にしたい。音声報知は、この欠点はないが、その代わり、一時に１つのことしか報知できない。このため、この対応でも限定した規制位置について音声報知に適した単純な報知形態での報知が必要になる。
【００２２】
図５は、本発明にかかる道路規制位置距離案内システムの動作の音声案内のパターンの一実施態様を説明する図である。
音声報知に適した単純な報知形態として、図５に示すものは、５−Ａで音声案内パターンが示されている。例に見るように、「監視距離範囲に規制位置が見つかりました。」とか、「ｘｘ先からｘｙ先までｙｙｙ規制があります。」など、音声情報として単純なものである。例えば、図４の場合は、「４９．９４ｋｍ先から５０．０７ｋｍ先まで追越車線規制があります。」ということになる。５−Ｂには、音声案内条件が示されている。ここでは、定間隔条件では、一定の時間又は距離毎に案内がされる。可変間隔条件では、規制位置に近づくと小さな間隔で案内される。
【００２３】
図３は、本発明にかかる道路規制位置距離案内システムにおいて事件特定手段の一実施態様を示す図である。
限定した規制位置について音声報知をしたいことを前述した。図３ではこの限定について説明する。３−Ａにおいて、車は、現在、キロポストＫＰＲ（ｔ）の位置を走行している。進行方向は仮に上りとする。道路には、表示されていない道路も含めると多数の規制事件がある。これらが、規制事件リストとしてデータがコンピュータのメモリに登録されている。しかしながら、この車の行き先の目的地を考慮すると、通過する道路は限定されるので、規制事件も少ないはずである。目的地の指定は、事件読出条件設定手段１１２０の
読出条件１１２１の指定において、道路範囲の指定に含まれる。
現在の日時を考慮すると、過去やこれからの規制事件も対象にはならない。規制事件の範囲が現在の日時を含んでいるものだけを判別して対応すればよい。仮に、目的地へゆく周辺を含めて、規制事件が、規制Ａ、規制Ｂ、規制Ｃ、規制Ｄの４つがあり、各々のキロポストが示されている通りであるとする。
全国の道路の規制事件から目的地へゆく周辺に限定すると、極めて少ない規制事件になる。
３−Ｂには、規制事件の限定についての概要が記述されている。
ルート指定ではＲ１、Ｒ２が指定されているので、規制Ａ、規制Ｂ、規制Ｃに限定される。現在地周辺全リスト指定では、規制Ａから規制Ｄまでの全てが示される。目的地指定では、規制Ａと規制Ｂのみ示される。ここで、規制期間一致（車の走行日時が規制期間に含まれる）の判定がなされる指定では、規制Ｂのみ対象となる。規制Ａは、日時が範囲外である。又は、規制種や単一指定では、規制Ａのみに限定が可能である。然しながら、この場合、規制期間一致もされているので、対象となるものはない。又、距離順指定や直近指定も可能である。
３−Ｃには、規制種の各種を示す。どれもが道路でよく見かけるものである。
【００２４】
図１は、本発明にかかる道路規制位置距離案内システムの構成の一実施態様を示す図である。又、図２は、本発明にかかる道路規制位置距離案内システムの動作フローの一実施態様を示す図である。
図２の動作フローを用いて、本発明にかかる道路規制位置距離案内システムの動作の概要を説明する。
大きく分けて、右上に記述されている道路上規制事件登録と規制期間管理２００、左上に記述された規制位置距離案内３００の２つのフローがある。
道路上規制事件登録と規制期間管理２００において、図３の３Ｃの規制種にあるような規制が起こった、或いは起こる想定が有る場合には、個々の規制事件をコンピュータ上の規制事件登録メモリ２１０に登録する。規制事件登録の内容は、事件名称、道路範囲（地域、道路、区間）、規制期間、規制ＫＰ範囲（上り／下り）、規制種、登録者名（又は／及びＩＤ）、などは、登録者が入力し、登録番号、登録時刻は自動入力となる。これにより、規制データの全てがメモリ上に存在することになる。登録は、表示モニタ２２０の登録画面上で行うことができる。
【００２５】
次に、規制位置距離案内を行わせる場合の条件の入力を行って、案内を実施させる。
規制位置距離案内３００において、スタート３１０工程を行うと、事件読出し条件設定３２０工程になる、ここでは、右下に記述した設定を行う。
事件読出条件設定３２０工程において、読出条件３２１の設定項目としては、複数（事件）順次対応、特定、規制種、道路範囲などの指定入力が可能である。
複数（事件）順次対応では、リストに示されたものの複数の事件がリスト順、又は近い順に対応される。特定とは複数の事件リストから選択したものだけが対応される。規制種では、例えば、図３の３−Ｃに示された規制種の１つを選択指定することで、同じ規制種のものだけが選ばれて対応される。道路範囲では、例えば、東名高速道路とか、又は、そのうちの一部である東名高速道路の豊田−名古屋間とかの指定に基づいて対応される。他にも地域で指定も可能であり、例えば、静岡県西部などの指定も可能である。
音声出力条件３２２の設定項目としては、音声案内パターン、音声案内条件などの指定入力がある。両者は、図５の５−Ａと５−Ｂに示すものであり、既に説明した。指定が終わると、自動的に規制期間内外判定３３０工程が行われ、規制事件登録メモリ２１０に登録された規制事件のうち、車の走行日が規制期間内に一致した規制事件のみが選択され限定される。車内の表示画面には事件リスト表示／特定・無特定３４０工程が行われ、表示した中から注目の事件を指定するか、又は、非特定により、全てを対象にすることができる。
【００２６】
前処理がこれで終了したので、実行ラン３５０工程のボタンを押す、又は自動的に、先ず進行方向変更検出３５１工程が行われる。ここでは、センサーは進行方向を検出しているので、方向が変化したかどうかが分かる。勿論、上り方向と下り方向といった大雑把な方向検出でよい。通常は、同じ方向に走っているが、方向が変わったと検出した場合は、スタート３１０工程に戻って、やり直す。方向が変わらない場合は、道路上現在位置データ取得３５２工程が行われる。
進行方向・変更検出３５１と道路上現在位置データ取得３５２は、逆順でも可能である。
これは、ＧＰＳ（グローバルポジショニングシステム）や走行速度や進行方向、走行時間を用いた慣性航法システムにより位置が求められる。
前者では、地球座標位置が、後者では、特定の地球座標位置からの方向及び距離が求められる。勿論、地球座標位置と言っても道路上であるからこの位置座標は道路上に定められたキロポストの値で表せる。従って、両者ともキロポストの値で表すことができる。
道路上の全てのキロポストの値と地球座標位置は、ＫＰ−地球座標位置テーブルとしてセンター管理装置（又は車内端末）のデータメモリに格納されている。車内端末にも最低限目標位置までに必要な範囲でデータを読み入れることができる。ＫＰ−地球座標位置テーブルを使えば、現在位置の地球座標位置に対して、現在位置ＫＰ値取得３５３において、現在位置のＫＰが求められる。次に範囲外判定３５６工程が行われる。車が、実行ラン３５０工程のボタンを押した位置から目標位置までの想定された所定の道路から外れた場合には、監視範囲外となるため、エンド３５９工程で終了とする。例えば、目標位置を過ぎた場合や、途中から想定外の道路に出た場合は、得られるキロポスト値は、目標位置より先を示すか、道路内のキロポストから０．１ｋｍ単位より大きな距離で離れることになる。道路内では、通常０．１ｋｍの間隔でキロポストデータがあるが、その道路から離れれば、所定のその道路のキロポストからは０．１ｋｍ以上離れてしまうためである。このようにして、範囲外判定が可能である。
【００２７】
次に、現在位置のＫＰと規制の事件位置のＫＰとの間で、値の差を取ることで、両者間の距離が計算される。これが、現在位置と事件位置ＫＰ値差計算３５４工程である。
距離が分かったので、既に指定された音声案内パターンと音声案内条件に基づいて、距離を距離案内３５５の工程において音声案内を行う。同時に画面に表示することも可能である。
人間による終了指示があれば、エンド３５９工程で終了とする。このため、終了指示判定３５７工程で終了指示があったかを判定する。終了指示がない場合は、案内間隔計時／計距離３５８工程であらかじめ指定された時間又は距離になるまで計測し、経過後に進行方向変化検出３５１工程に戻り、繰り返す。このことにより、所望の時間又は距離毎に規制位置までの距離を案内（特に音声）することができる。前述したように音声案内パターンを選べば、規制区間の始めと終わりまでの距離も案内できる。
これらの動作フローのプログラムは、制御メモリ４１０（プログラムメモリ）に、登録データや測定データなどの他のデータは、データメモリ４２０に格納される。これを基に制御器４００（コンピュータ）がこれらの動作を制御している。尚、規制事件登録メモリ２１０、ＫＰ−地上座標位置テーブル、事件読出条件設定などのデータに関するものはデータメモリ４２０に含まれる。
【００２８】
次に、上記の動作フローを行うための道路規制位置距離案内システムの構成の例を説明する。図１は、本発明にかかる道路規制位置距離案内システムの構成の一実施態様を示す図である。
道路規制位置距離案内システム１０００は、これを搭載して走る車の道路上の現在地から道路上の規制事件位置までの道路上に沿った距離を音声案内する車内端末１１００と車内端末１１００との間で必要なデータをやり取りするセンター管理装置１２００を備えている。案内の規模が極めて小さく車内端末１１００の範囲ですべてが行える場合は、車内端末１１００のみで構成できる場合もある。
【００２９】
先ず、車内端末１１００の構成を説明する。
車の搭乗者は、車内端末１１００を使い、必要な設定を行う。端末表示器２２０Ａの画面上でキーボードやタッチキー等の入力ＩＦ（インターフェース）１１１１と設定手段としての事件読出条件設定手段１１２０をつかい設定を行う。事件読出条件設定手段１１２０は、図２の事件読出条件設定３２０工程に対応するものである。フローの説明でも記述したように、ここでは、読出条件１１２１、音声出力条件１１２２の設定ができる。内容は、事件読出条件設定３２０工程において、すでに説明した。
設定の為の動作プログラムは、端末制御メモリ１１３０に格納されていて、コンピュータである端末制御器１１４０は、このプログラムに沿って動作する。尚、設定されたデータは、端末データメモリ１１５０に格納されている。例えば、事件読出条件設定手段１１２０で設定されたデータは、端末データメモリ１１５０の中の端末事件読出し条件設定メモリ１１５３に格納されている。尚、メモリの構造として、車内端末１１００では、端末メモリがあり、これは、車内端末の動作を実施するプログラムである動作プログラムを格納するメモリである端末制御メモリ１１３０と、その動作に必要なデータ、又は動作の結果生じるデータを格納する端末データメモリ１１５０になっている。端末データメモリ１１５０は、上記のように、端末規制事件登録メモリ１１５１、端末ＫＰ−地球座標位置メモリ１１５２、端末事件読出条件設定メモリ１１５３、端末音声案内パターンメモリ１１５４等でなっている。
【００３０】
次に、車の搭乗者は、必要な設定を行った後は、図２で規制位置距離案内のフローで説明したように規制案内を受けることになるが、実際には、車内端末１１００での処理に必要なセンター管理装置１２００内での処理は、既に終わっている状態である。センター管理装置１２００内での処理は、車内端末１１００での処理の説明が終わってから説明する。
事件読出条件設定手段１１２０において設定が終わると、設定対応した事件リストのみ選択される。事件読出条件設定手段１１２０において設定された設定データは、端末事件読出条件設定メモリ１１５３に格納され利用される。
車内端末１１００では、選択された事件リストは、さらに、判定手段１１６０である事件リスト判定手段１１６１と規制期間内外判定手段１１６２により限定される。事件リスト判定手段１１６１は、事件読出条件設定手段１１２０で設定した条件に合った規制事件のみ選択される。更に、規制期間内外判定手段１１６２では、車での運行日時（運転当日の日時）が規制事件の規制期間に含まれるもののみが選択される。こうして、必要十分な最小限の規制事件が特定される。これが済むと、動作プログラムは、画面又は音声で実行ランを促すか又は、自動で実行ランが行われる。実行ランにおいては、先ず、進行方向・変更検出手段１１１２により、進行方向を検出し、さらに進行方向の変化を検出する。ここは、上り、又は下りといった進行方向である。検出センサーには、一般にはジャイロセンサが使われていて、どの方向に走行しているか、従って、上り／下りの区別、さらにその変更も検出が可能である。進行方向が変わった場合は、再度、スタート３１０のフローに戻る。進行方向が変わらない場合は、道路上の現在位置データ取得３５２の工程に入るが、これは、現在位置データ取得手段１１１３を使って行われる。具体的には、ＧＰＳや慣性航法による位置の取得を行う。次に、現在位置ＫＰ値取得３５４の工程で、現在位置を基に、道路上でのＫＰ位置に変換する。道路上には、道路に沿って、キロポスト位置が設定され、その位置の地球座標位置も分かっているため、その位置からの差異が分かる。従って、現在位置を例えば、１００．１５ｋｍと表せる。これは、１００．１キロポスト点から数値が増える方向に５０ｍ離れた位置である。このために演算手段１１７０の一つとしてＫＰ値取得手段１１７１がある。ＫＰ値取得手段１１７１では、上のように現在位置の地球座標をＫＰの地球座標との間の距離を求めて、直近のＫＰとの距離差を基にＫＰ値を算出する。ここで、道路上のＫＰとその地球座標値は、端末データメモリ１１５０内の端末ＫＰ−地球座標位置メモリ１１５２に格納されている。
【００３１】
次に、範囲外判定３５６の工程に対応して、演算手段１１７０内の範囲外判定手段１１７３が現在位置のＫＰ値が範囲外かどうかの判定を行う。
現在位置のＫＰ値が、目的地までの途中の経路を通りすぎた場合や、途中から出た場合には目的地までの途中の経路の道路上の直近のキロポスト点を過ぎるか又は、その地点より、キロポスト間隔より大きなズレになるはずである。例えば、通常の高速道路では、キロポストの間隔は１００ｍ単位で設置されている。この場合、対象の道路上にいれば、前後のキロポストの間にいるので、どちらのキロポストに対しても１００ｍは開かない。しかし、対象の道路外に出れば、それ以上の開きが起こるので範囲外判定ができる。
然しながら、インターチェンジの近くの境界を走行中は、距離やカーブの影響で、進行方向や現在地のキロポスト値、範囲外判定に不都合が生じやすいので、現在地がインターチェンジの周辺にある場合は、システムの前の動作を維持し、周辺を出てから音声案内を再開する方が良い。
【００３２】
次に、規制位置である事件位置のＫＰ値は既知であるので、現在位置のＫＰ値との間で差を取れば、現在位置から規制位置までの道路に沿った距離が求まる。
これは、現在位置と事件位置ＫＰ値差計算３５４の工程であった。手段として、演算手段１１７０の中の距離計算手段１１７２でこの演算が行われる。
事件位置のＫＰ値は、端末データメモリ１１５０内の端末規制事件登録メモリ１１５１に格納されている。
距離が求まったので、距離案内３５５の工程、出力（案内）手段１１８０で音声案内が行われるが、この中の案内情報作成手段１１８１において、事件読出条件設定手段１１２０で設定したことに基づき、端末音声案内パターンメモリ１１５４の中にある案内パターンに距離情報をはめ込んで案内する。音声出力手段２３０（スピーカ）、表示器２２０に案内情報が出力する。
端末音声案内パターンメモリ１１５４には、図５の５−Ａで説明した音声案内パターンが格納されている。
音声案内の後、終了指示判定３５７の工程に対応して、演算手段１１７０内の終了判定手段１１７４が、終了指示が入力ＩＦ１１１１を介してあったかどうかを判定する。終了指示は通信を介してセンター管理装置１２００から有ってもよい。
終了指示ありの判定では、動作は終了となる。
終了指示が無ければ、案内間隔計時／計距離手段１１７５により計時又は計距離を行い、所望の間隔で随時の位置計測が行われ、距離案内がなされる。
【００３３】
以上で車内端末１１００側の説明が終わったので、センター管理装置１２００の説明をする。小規模なシステムでは車内端末のみで全体を構成可能であるが、事件位置データやＫＰ−地上座標位置データなど、各車内端末１１００に共通であること、規模が大きくなるなどの状況を勘案すると、センター管理装置１２００を構成に含む方が好都合である。
センター管理装置１２００は、大きくは、車内端末１１００と構成はさほど変わらない。
区別の為、センターの文字を付けている。
センター管理装置１２００では、センター表示器２２０Ｂを見ながら、登録入力手段１２１０を用いて、以下の登録を行うことができる。
先ず、ＫＰ−地球座標位置メモリ１２５２に道路上のキロポスト点のキロポストと地球座標位置のデータを登録格納できる。道路規制の事件がある場合に規制事件登録メモリ１２５１に事件名や識別記号、キロポストの数値で表した位置、規制期間、他を登録格納できる。音声案内パターンメモリ１２５４には、使用できる音声案内のパターンが登録格納できる。事件読出条件設定メモリ１２５３には、事件の読出条件が設定できる。
上記の各メモリは、センターデータメモリ１２５０を構成している。
設定は、当然、修正や追加が可能である。これらの動作は、動作プログラムとしてセンター制御メモリ１２３０に入っていて、センター制御器１２４０に読み出されて実行される。
センター管理装置１２００と車内端末１１００の間は、通信手段１３００で接続される。
センター管理装置１２００には、多数の道路に関する上記のデータが格納されているので、車内端末１１００側は、自らの走行時に必要なデータのみを通信手段１３００を介して読み込んで、車内端末内の端末データメモリ１１５０内の各メモリに格納して使用できる。
【００３４】
尚、端末データメモリ１１５０内の各メモリに読み込まないで、通信により、センター管理装置に位置データを送信して、上記した車内端末で行った動作をセンター管理装置で行い、案内データを通信で戻して貰い案内することなど他の動作も可能であるが、相互の通信が頻繁になり得策とは言えない。すなわち、この場合の構成として、図１の車内端末１１００が有したほとんどの構成をセンター管理装置１２００側でもち、車内端末１１００は、現在位置データ取得手段１１１３、進行方向・変更検出手段１１１２を含む入力手段１１１０、事件読出し条件設定手段１１２０のための入力ＩＦ１１１４を持ち、その他のことは、センター管理装置１２００で行うようにするものである。前にも述べたように、センター管理装置１２００を持たないで、車内端末側ですべてのことを行う規模の小さいシステムも可能である。
また、図２での工程フローでの説明では、車内端末１１００とセンター管理装置１２００とを分けないで全体システムとしてのフローを説明した。図１では、手段構成を車内端末１１００とセンター管理装置１２００とに分けて説明した。そのため、例えば、図２では、制御器４４０が図１では、端末制御器１１４０とセンター制御器１２４０とになっている。
同様に、図２での表示器２２０は、図１では、端末表示器２２０Ａ、センター表示器２２０Ｂとなっている。図２での制御メモリ４１０は、図１では端末制御メモリ１１３０とセンター制御メモリ１２３０に、図２のデータメモリ４２０は、図１では、端末データメモリー１１５０とセンターデータメモリ１２５０になっている。
尚、図１の入力手段１１１０内に道路上事件登録手段１１１４を設けると、車を走らせて事件位置に到達した時にその位置でＫＰ値を求め、これを端末規制事件登録メモリ１１５１又は／及び規制事件登録メモリ１２５１に登録して、他の車両の案内のためのデータを提供ができて都合がよい。
【００３５】
以上の説明では、位置測定の間隔、表示間隔、音声案内間隔を同じにしたが、表示間隔・音声案内間隔調整手段を事件読出条件設定手段１１２０の中に設けて、位置測定に対して、他を間引くように少なくとっても良いことは当然である。すなわち、測定は細かくしているが、案内は、粗い感覚で行うこともできる。又、音声案内は、常時ではなく、音声案内スイッチを押したとき（音声有の選択）に行うなども可能である。こうすると、音声がうるさいという時間を必要時点に極力限定することができる。ここで、スイッチは、音声案内の有無を選択、又は、音声案内のスタートが可能である。
勿論、表示では常時確認できるよう表示されている。尚、音声出力がある状態では、表示面に「音声」又は「音声有」と、反対に、表示する音声出力がない状態では、表示面に「音声無」を表示することも好都合である。
【産業上の利用可能性】
【００３６】
以上のように本発明にかかる道路規制位置距離案内システムは、目的地まで走行する道路に沿って、対象となる道路、規制位置、期間を限定し、走行する車の現在位置から規制位置までの距離を随時ＫＰの差に基づいて計測し、音声案内することができるので産業上利用して極めて好都合である。
【符号の説明】
【００３７】
２００  道路上規制事件登録と規制期間管理
２１０  規制事件登録メモリ
２２０  表示器
２２０Ａ  端末表示器
２２０Ｂ  センター表示器
２３０  スピーカ
３００  規制位置距離案内
３１０  スタート
３２０  事件読出条件設定
３２１  読出条件
３２２  音声案内条件
３３０  規制期間内外判定
３４０  事件リスト表示／特定・非特定
３５０  実行ラン
３５１  進行方向・変更検出
３５２  道路上現在位置データ取得
３５３  現在位置ＫＰ値取得
３５４  現在位置と事件位置ＫＰ値差計算
３５５  距離案内
３５６  範囲外判定
３５７  終了指定判定
３５８  案内間隔計時／計距離
３５９  エンド  
４００  制御器
４１０  制御メモリ
４２０  データメモリ
１０００  道路規制位置距離案内システム
１１００  車内端末
１１１０  入力手段
１１１１  入力ＩＦ（インターフェース）
１１１２  進行方向・変更検出手段
１１１３  現在位置データ取得手段
１１１４  道路上事件登録手段
１１２０  事件読出条件設定手段
１１２１  読出条件
１１２２  音声出力条件
１１３０  端末制御メモリ
１１４０  端末制御器
１１５０  端末データメモリ
１１５１  端末規制事件登録メモリ
１１５２  端末ＫＰ−地球座標位置メモリ
１１５３  端末事件読出条件設定メモリ
１１５４  端末音声案内パターンメモリ
１１６０  判定手段
１１６１  事件リスト判定手段
１１６２  規制期間内外判定手段
１１７０  演算手段
１１７１  ＫＰ値取得手段
１１７２  距離計算手段
１１７３  範囲外判定手段
１１７４  終了判定手段
１１７５  案内間隔計時／計距離手段
１１８０  出力（案内）手段
１１８１  案内情報作成手段
１２００  センター管理装置
１２１０  登録入力手段
１２４０  センター制御器
１２３０  センター制御メモリ
１２５０  センターデータメモリ
１２５１  規制事件登録メモリ
１２５２  ＫＰ−地球座標位置メモリ
１２５３  事件読出条件設定メモリ
１２５４  音声案内パターンメモリ
１３００  通信手段
【図１】
2018063621.tif 000003
【図２】
2018063621.tif 000004
【図３】
2018063621.tif 000005
【図４】
2018063621.tif 000006
【図５】
2018063621.tif 000007